(57)【特許請求の範囲】
【請求項１】
児収容空間の周壁部に設けられている手入れ窓と、往復回動によって上記手入れ窓を開放および閉鎖することができる手入れ扉と、上記手入れ扉を往復回動可能に保持することができるようにするために上記周壁部に取り付けられている基枠と、上記閉鎖のための閉鎖位置に上記手入れ扉を保持することができるラッチ機構とを備え、
上記手入れ扉の内側面にこの内側面の外周囲にほぼ沿って形成されているほぼリング状の挿入用溝部と、上記基枠に形成されているほぼリング状の外周部とをさらに備え、
上記手入れ扉が上記閉鎖位置に保持されているときには、上記ほぼリング状の外周部のほぼリング状の先端部が上記ほぼリング状の挿入用溝部にほぼリング状に挿入されかつ押し当てられることで上記周壁部と上記手入れ扉との気密性が確保されるように係合されていることを特徴とする保育器。
【請求項２】
上記ほぼリング状の先端部の厚みが、３〜４．６ｍｍの範囲であり、
上記ほぼリング状の先端部の先端面のほぼ平坦な中央部の幅が、０．６４〜０．９６ｍｍの範囲であり、
上記ほぼリング状の先端部の上記先端面の左右両側のそれぞれの円弧面の半径が、１．２〜１．８ｍｍの範囲であり、
上記ほぼリング状の挿入用溝部の幅が、５〜７．６ｍｍの範囲であり、
上記ほぼリング状の挿入用溝部の幅方向における円弧状の傾斜面の半径が、３．２〜４．８ｍｍの範囲であり、
上記ほぼリング状の挿入用溝部の幅に対する上記ほぼリング状の先端部の厚みの比が、０．４８〜０．７２の範囲であることを特徴とする請求項１に記載の保育器。
【請求項３】
上記ほぼリング状の外周部の内側面が上記児収容空間の側から外部空間の側に向かって尻すぼまりになるように傾斜していることを特徴とする請求項１または２に記載の保育器。
【請求項４】
上記尻すぼまりになるように傾斜している傾斜角度が、３°〜７°の範囲であることを特徴とする請求項３に記載の保育器。
【請求項５】
上記基枠がプラスチック材料によって構成されていることを特徴とする請求項１〜４のうちのいずれか１つに記載の保育器。
【請求項６】
上記保育器が閉鎖型保育器であることを特徴とする請求項１〜５のうちのいずれか１つに記載の保育器。
【発明の詳細な説明】
【技術分野】
【０００１】
本発明は、児収容空間の周壁部に設けられている手入れ窓と、往復回動によって上記手入れ窓を開放および閉鎖することができる手入れ扉と、上記手入れ扉を往復回動可能に保持することができるようにするために、上記周壁部に取り付けられている基枠と、上記閉鎖のための閉鎖位置に上記手入れ扉を保持することができるラッチ機構とを備えている保育器に関するものである。
【背景技術】
【０００２】
特許文献１に開示されている保育器（以下、「特許文献１の保育器」という。）は、児収容空間の周壁部に設けられている手入れ窓と、往復回動によって上記手入れ窓を開放および閉鎖することができる手入れ扉と、上記手入れ扉を往復回動可能に保持することができるようにするために、上記周壁部に取り付けられている基枠と、上記閉鎖のための閉鎖位置に上記手入れ扉を保持することができるラッチ機構とを備えている。そして、上記ラッチ機構は、上記児収容空間の周壁部の付近において上記保持を行う保持位置と上記保持を解除する解除位置との間で回動するラッチレバーと、上記ラッチレバーの支持軸の軸心と同一または平行な軸心を中心として回動することによって、上記ラッチレバーを上記解除位置まで回動させる操作レバーとを備えている。したがって、特許文献１の保育器によれば、取扱者の手の指以外の部分（例えば、肘）で操作して手入れ扉を往回動させることによって、手入れ窓を容易に開放することができるにもかかわらず、このような操作によって新生児などの児の体調に変調を来す恐れが少ない。
【特許文献１】特開２０１２−８５９０８号公報
【発明の開示】
【発明が解決しようとする課題】
【０００３】
しかし、特許文献１の保育器においては、手入れ窓の外周囲の付近に位置している基枠と、手入れ扉との間に、手入れ窓の外周囲の付近と手入れ扉との間をほぼ気密に保持するためのシリコーンゴム製の環状パッキンを介在させるようにしている。具体的には、上記シリコーンゴム製の環状パッキンは、上記基枠に取り付けられている。このために、上記シリコーンゴム製環状パッキンに児の体液などの汚れが染み込んだ場合には、上記シリコーンゴム製環状パッキンを上記基枠から取り外してから消毒液に浸漬して清拭しなければならないので、長時間の浸漬消毒作業を行う必要があった。また、病院などの使用者側によっては、上記シリコーンゴム製環状パッキンが経年劣化しても、パッキンの交換を行わないために、保育器の児収容空間の気密機能が低下する恐れがあった。しかも、上記シリコーンゴム製環状パッキンには、このパッキンのコストが高いという問題もあった。
【０００４】
本発明は、特許文献１の保育器における上述のような課題を比較的簡単な構成でもって効果的に解決したものである。
【特許文献１】特開２０１２−８５９０８号公報
【課題を解決するための手段】
【０００５】
本発明は、児収容空間の周壁部に設けられている手入れ窓と、往復回動によって上記手入れ窓を開放および閉鎖することができる手入れ扉と、上記手入れ扉を往復回動可能に保持することができるようにするために上記周壁部に取り付けられている基枠と、上記閉鎖のための閉鎖位置に上記手入れ扉を保持することができるラッチ機構とを備え、上記手入れ扉の内側面にこの内側面の外周囲にほぼ沿って形成されているほぼリング状の挿入用溝部と、上記基枠に形成されているほぼリング状の外周部とをさらに備え、上記手入れ扉が上記閉鎖位置に保持されているときには、上記ほぼリング状の外周部のほぼリング状の先端部が上記ほぼリング状の挿入用溝部にほぼリング状に挿入されかつ押し当てられることで上記周壁部と上記手入れ扉との気密性が確保されるように係合されていることを特徴とする保育器に係るものである。
【０００６】
また、本発明は、その第１の観点においては、上記ほぼリング状の先端部の厚みが、３〜４．６ｍｍの範囲であり、上記ほぼリング状の先端部の先端面のほぼ平坦な中央部の幅が、０．６４〜０．９６ｍｍの範囲であり、上記ほぼリング状の先端部の上記先端面の左右両側のそれぞれの円弧面の半径が、１．２〜１．８ｍｍの範囲であり、上記ほぼリング状の挿入用溝部の幅が、５〜７．６ｍｍの範囲であり、上記ほぼリング状の挿入用溝部の幅方向における円弧状の傾斜面の半径が、３．２〜４．８ｍｍの範囲であり、上記ほぼリング状の挿入用溝部の幅に対する上記ほぼリング状の先端部の厚みの比が、０．４８〜０．７２の範囲である。
【０００７】
また、本発明は、その第２の観点においては、上記ほぼリング状の外周部の内側面が上記児収容空間の側から外部空間の側に向かって尻すぼまりになるように傾斜している。そして、本発明は、その第２の観点の第１の態様においては、上記尻すぼまりになるように傾斜している傾斜角度が、３°〜７°の範囲である。さらに、本発明は、その第３の観点においては、上記基枠がプラスチック材料によって構成されている。また、本発明は、その第４の観点においては、上記保育器が閉鎖型保育器である。
【発明の効果】
【０００８】
請求項１に係る発明によれば、手入れ窓の外周囲の付近に位置している基枠と、手入れ扉との間に、手入れ窓の外周囲の付近と手入れ扉との間をほぼ気密に保持することができるシリコーンゴム製などの環状パッキンを介在させる必要が特にない。このために、シリコーンゴム製などの環状パッキンに児の体液などの汚れが染み込んだ場合のように、シリコーンゴム製などの環状パッキンを上記基枠から取り外してから消毒液に浸漬して清拭する必要が特にないので、長時間の浸漬消毒作用を行う必要もない。したがって、シリコーンゴム製などの環状パッキンを用いている場合のように、病院などの使用者の側が上記清拭を行わないために環状パッキンが経年劣化して、保育器の児収容空間の気密機能などが低下する恐れが特にない。しかも、上述のように比較的コストの高いシリコーンゴム製などの環状パッキンを特に用いる必要がないから、保育器の製造価格の低下や保育器の使用経費の低下を達成することができる。
【０００９】
また、請求項２に係る発明によれば、ほぼリング状の先端部が、ほぼリング状の挿入用溝部に嵌合するのではなくて、ほぼリング状の挿入用溝に単に挿入されるだけであるので、ほぼリング状の挿入用溝部やほぼリング状の先端部が上記挿入によって損傷する恐れが少ない。そして、請求項３に係る発明によれば、基枠に形成されているほぼリング状の外周部の下方付近の内側面に水滴などの液滴が付着しても、このような液滴が、主として、児収容空間の側に向って流れ込むので、外部空間の側に向って流れ出すことはあまりない。また、請求項４に係る発明によれば、請求項３に係る発明によって奏する上述の効果をさらに良好に奏することができる。そして、請求項５に係る発明によれば、児収容空間の周壁部に取り付けられる基枠の内側面が上記液滴などによって多少汚れても、この汚れが落ち易くて清拭が容易である。さらに、請求項６に係る発明によれば、保育器が閉鎖型の保育器であるから、児収容空間内に外気が入り込み難い保育器を提供することができる。
【図面の簡単な説明】
【００１０】
【図１】本発明を閉鎖型保育器に適用した一実施例における保育器の斜視図である。（実施例１）
【図２】図１に示す保育器における左側の手入れ扉機構の斜視図である。（実施例１）
【図３】図２に示す手入れ扉機構の正面図である。（実施例１）
【図４】図３のＡ−Ａ線における断面図である。（実施例１）
【図５Ａ】図４に示すラッチ機構の付近の拡大横断面図である。（実施例１）
【図５Ｂ】図５Ａに示すラッチ機構の付近の一部分をハッチングを省略して示す拡大横断面図である。（実施例１）
【図６】ラッチレバーがラッチ解除位置まで往回動している状態での、図４に示すラッチ機構の付近の図５Ａと同様の横断面図である。（実施例１）
【図７】図５Ａに示すラッチ機構の付近の分解斜視図である。（実施例１）
【図８】図１に示す保育器における手入れ扉の回動支持機構の付近の、手入れ扉が開放されている状態での部分的な横断面図である。（実施例１）
【発明を実施するための形態】
【００１１】
つぎに、本発明を閉鎖型保育器に適用した一実施例を、「１、保育器全体の概略的な説明」および「２、手入れ扉の説明」に項分けして、図１〜図８を参照しつつ説明する。
【００１２】
１、保育器全体の概略的な説明
【００１３】
閉鎖型保育器１１は、図１に示すように、平面的に見てほぼ長方形状（換言すれば、ほぼ直方体形状）などの保育器基台１２と、この保育器基台１２のほぼ外周囲に沿ってこの保育器基台１２上に立設されているほぼ直方体形状などのエンクロージャ１３と、保育器基台１２をそのほぼ上面に取り付け固定している保育器基台支持手段または保育器基台支持機構としての台車１４とをそれぞれ備えている。そして、エンクロージャ１３は、取り付けおよび取り外しがそれぞれ容易なように、保育器基台１２上に取り付け固定されている。また、台車１４の下側面のほぼ四隅のそれぞれには、保育器１１を移動させるのに用いられる車輪１５がそれぞれ取付け支持されている。なお、保育器基台１２は、必要に応じて、取付けおよび取外しがそれぞれ容易なように台車１４に取り付け固定されていてもよいし、一旦取付けられた後には容易に取り外しができないように取り付け固定されていてもよい。例えば、保育器基台１２は、ボルトとナットとから成る連結具（図示せず）によって、台車１４に比較的容易に取り外しが可能なように取り付け固定されていてもよい。
【００１４】
エンクロージャ１３は、図１に示すように、このエンクロージャ１３に収容されている児の頭側の壁部を構成している第１の固定側の周壁部としての頭側の周壁部（換言すれば、エンクロージャ１３の長く延在する長さ方向に延在している一対の周壁部のうちの一方の側の周壁部）２１と、児の脚側の壁部を構成している第２の固定側の周壁部としての脚側の周壁部（換言すれば、エンクロージャ１３の長く延在する長さ方向に延在している一対の周壁部のうちの他方の側の周壁部であって、第１の周壁部２１にほぼ対向している第２の周壁部）２２と、第１の可動側の周壁部としての前側の周壁部（児の右側の周壁部であって、エンクロージャ１３の短く延在する幅方向に延在している一対の周壁部のうちの一方の側の周壁部である第３の周壁部）２３と、第２の可動側の周壁部としての後側の周壁部（児の左側の周壁部であって、エンクロージャ１３の短く延在する幅方向に延在している一対の周壁部のうちの他方の側の周壁部である第４の周壁部）２４と、これらの周壁部２１〜２４によって囲まれている児収容空間２５の上面のほぼ全体を覆うように配設されている天面フード２６とをそれぞれ備えている。なお、エンクロージャ１３は、そのほぼ全体がほぼ透明、ほぼ半透明などであってよい。そして、周壁部２１〜２４および天面フード２６のそれぞれは、例えば、ほぼ透明、ほぼ半透明などのポリカーボネート樹脂、アクリル樹脂などのほぼ透明、ほぼ半透明などの熱可塑性合成樹脂、ほぼ透明、ほぼ半透明などのその他の合成樹脂などのほぼ透明、ほぼ半透明などの材料から、構成されていてよい。
【００１５】
図１に示す台車１４は、そのほぼ全体がスチール製などの金属製などであってよく、また、ほぼ直方体形状などのほぼ箱形の形状などであってよい。そして、台車１４は、前側の面２７などの少なくとも１つの側面のほぼ全体などが開口することによって形成されている開口部３２を有する台車本体３１と、この台車本体３１の開口部３２を開閉するために、この台車本体３１に回動可能にそれぞれ取り付けられている左右一対の開閉扉３３ａ、３３ｂとをそれぞれ備えている。なお、左側の開閉扉３３ａは、台車本体３１の前側で左側の端部の付近を回動支点として往復回動し得るように、台車本体３１に取り付けられている。また、前側で右側の開閉扉３３ｂは、台車本体３１の前側で右側の端部の付近を回動支点として往復回動し得るように、台車本体３１に取り付けられている。
【００１６】
保育器基台１２の左側の壁部３４および右側の壁部３５のそれぞれの上部の付近の外側面には、図１に示すように、左側の把手部３６および右側の把手部３７がそれぞれ取り付け固定されている。なお、左側および右側の把手部３６、３７は、扁平なほぼＵ字形状などであってよい。そして、これらの把手部３６、３７のそれぞれの両端部は、左側の壁部３４および右側の壁部３５のそれぞれに、取り付け固定または一体成形されていてよい。さらに、保育器基台１２の左側の側面部には、加湿器ユニット４１が、引き抜きなどによって保育器基台１２から取り出すことができるように、着脱可能に装着されている。そして、保育器基台１２の右側の側面部には、エンクロージャ１３の内部に配設されている臥床架（換言すれば、臥床台−図示せず）の頭側の部分から脚側の部分に掛けての傾斜角度を調整するのに用いられる角度調整用摘み４２が、配設されている。
【００１７】
頭側の周壁部２１は、図１に示す脚側の周壁部２２とほぼ同一の大きさでかつほぼ同一の形状（ただし、図１においては、両者がほぼ左右対称的になるようにほぼ向き合った状態で配置されている。）であってよい。そして、頭側の周壁部２１および脚側の周壁部２２のそれぞれの中央部分には、布製などの絞り面を含む絞り窓形成部材（換言すれば、絞り蓋）４３が取り付けられている手挿入用開口４４が形成されている。また、頭側の周壁部２１および脚側の周壁部２２のそれぞれの前側の部分および後側の部分のそれぞれには、切り込み（図示せず）が形成されている。そして、これらの切り込みのそれぞれには、グロメット部材４５がそれぞれ取り付けられている。なお、頭側の周壁部２１および脚側の周壁部２２のそれぞれの上端部の付近には、前後一対のラッチ機構４６のそれぞれの被係合部が、一体成形などによってそれぞれ配設されている。そして、頭側の周壁部２１の後側の端部および脚側の周壁部２２の前側の端部のそれぞれの上端部の付近には、第１のラッチ機構４７の被係合部としてのラッチ受け部５１が一体成形などによって配設されている。また、頭側の周壁部２１のうちの後側の端部の付近でかつ上側の端部の付近には、酸素センサなどの補助的な器具を取り付けるための開口（図示せず）が形成されている。
【００１８】
図１に示す前側の周壁部２３は、後側の周壁部２４とほぼ同一の大きさでかつほぼ同一の形状（ただし、図１においては、両者がほぼ左右対称的になるようにほぼ向かい合った状態で配置されている。）であってよい。そして、前側の周壁部２３および後側の周壁部２４のそれぞれの左側の部分および右側の部分のそれぞれには、左側の手入れ窓５２および右側の手入れ窓５３がそれぞれ配設されている。また、前側の周壁部２３および後側の周壁部２４のそれぞれの左側の部分および右側の部分のそれぞれには、左側の手入れ窓５２および右側の手入れ窓５３のそれぞれを開放したり閉鎖したりすることがそれぞれできかつそれぞれほぼ透明であってよい左側の手入れ扉５４および右側の手入れ扉５５がそれぞれ配設されている。なお、符号５６は、左側および右側の手入れ扉５４、５５のそれぞれの回動支軸機構である。そして、符号５７は、左側および右側の手入れ扉５４、５５のそれぞれのラッチ機構である。
【００１９】
保育器基台１２の前側の部分６１および後側の部分６２のそれぞれの上端部の付近の左右両側の部分の付近には、図１に示すように、左側のヒンジ部６３および右側のヒンジ部６４が回動軸部（図示せず）によって往復回動可能（換言すれば、外側に向かって往回動可能でかつ内側に向って復回動可能）に配設されている。そして、前側の周壁部２３および後側の周壁部２４のそれぞれには、これらの周壁部２３、２４が閉鎖状態になっているときに天面フード２６の前側および後側の下端部のそれぞれと係合する左右一対の第２のラッチ機構６５が、それぞれ配設されている。また、前側の周壁部２３および後側の周壁部２４のそれぞれの左側の端部の付近でかつ上側の端部の付近には、第１のラッチ機構４７の係合部としてのラッチレバー６６がそれぞれ配設されている。そして、前側または後側の周壁部２３、２４を開放するときには、ラッチレバー６６を往動操作することによって、これらのラッチレバー６６を被係合部としてのラッチ受け部材５１から離脱させた後に、前側または後側の周壁部２３、２４を開放させればよい。
【００２０】
天面フード２６は、図１に示すように、ほぼ四角錐台形状などであってよく、そして、その下面が全面的に開口している中空体であってよい。なお、頭側の周壁部２１、脚側の周壁部２２、前側の周壁部２３および後側の周壁部２４によって、平面的に見てほぼ長方形状（換言すれば、上面および下面のそれぞれがほぼ全体的に開口しているほぼ角筒形状）などの周囲枠部７１が構成されている。そして、周囲枠部７１と、この周囲枠部７１の上面開口を選択的に覆うことができる天面フード２６とによって、エンクロージャ１３が構成されている。さらに、天面フード２６の頭側の端部および脚側の端部のそれぞれの前側の部分および後側の部分のそれぞれには、前後一対のラッチ機構４６の係合部７８がそれぞれ配設されている。
【００２１】
図１に示す前側の周壁部２３、頭側の周壁部２１、後側の周壁部２４および脚側の周壁部２２によって、上端および下端がそれぞれほぼ全面的に開口している周囲枠部７１が構成されている。そして、周囲枠部７１の上端開口のほぼ全面は、天面フード２６によって覆われている。また、天面フード２６の左側の下端部および右側の下端部のそれぞれは、前後一対のラッチ機構４６のそれぞれによって、頭側の周壁部２１および脚側の周壁部２２にそれぞれ取り付け固定されている。このために、天面フード２６の頭側の壁部７２および脚側の壁部７３のそれぞれが、周囲枠部７１の頭側の周壁部２１および脚側の周壁部２２のそれぞれに連結されている。そして、天面フード２６の頭側の壁部７２および脚側の壁部７３のそれぞれの下端部は、頭側および脚側のそれぞれの前後一対のラッチ機構４６によって、周囲枠部７１の頭側および脚側の周壁部２１、２２のそれぞれの上端部に、それぞれ取外し可能な状態でもって、取り付け固定されることができる。
【００２２】
前側の周壁部２３および後側の周壁部２４のそれぞれを図１に示す復回動位置に確実に保持するために、第２のラッチ機構６５が、前側の周壁部２３および後側の周壁部２４のそれぞれに配設されている。なお、第２のラッチ機構６５を図１に示すほぼ直立した状態以外の状態（例えば、ほぼ下垂した状態またはほぼ横倒しの状態）にしておいてから、前側または後側の周壁部２３、２４のそれぞれを開放位置から閉鎖位置に回動させた後に、第２のラッチ機構６５のそれぞれを回動操作することによって、第２のラッチ機構６５のそれぞれをほぼ直立した状態にすることができる。そして、この回動操作によって、前側または後側の周壁部２３、２４を閉鎖位置に確実にかつ簡単にロックすることができる。また、上述の場合とは逆の操作を行うことによって、上記ロックを解除することができる。なお、前側または後側の壁部２３、２４のそれぞれを開放させたいときには、上記ロック解除を行った後に、ラッチレバー６６をラッチ受け部材５１から離脱させてから、前側および後側の周壁部２３、２４のそれぞれを往回動させればよい。
【００２３】
２、手入れ扉機構の説明
【００２４】
前側の周壁部２３および後側の周壁部２４のそれぞれには、図１に示すように、左側の手入れ扉機構７４および右側の手入れ扉機構７５がそれぞれ配設されている。なお、前側の周壁部２３の右側の手入れ扉機構７５は、前側の周壁部２３の左側の手入れ扉機構７４とは、ほぼ左右対称的である。そして、後側の周壁部２４の左側の手入れ扉機構は、後側の周壁部２４の右側の手入れ扉機構とは、ほぼ左右対称的である。また、後側の周壁部２４の左側の手入れ扉機構は、前側の周壁部２３の右側の手入れ扉機構７５とは、ほぼ前後対称的である。さらに、後側の周壁部２４の右側の手入れ扉機構は、前側の周壁部２３の左側の手入れ扉機構７４とは、ほぼ前後対称的である。したがって、以下において、前側の周壁部２３の左側の手入れ扉機構７４について詳細に説明し、前側の周壁部２３の右側の手入れ扉機構７５および後側の周壁部２４の左右両側の手入れ扉機構のそれぞれについての詳細な説明は、いずれも省略する。
【００２５】
手入れ扉機構７４は、図２〜図４などに示すように、左側の手入れ扉５４と、左側の手入れ扉５４をほぼ往復回動可能に支持している回動支軸７６を有する回動支軸機構５６と、回動支軸７６が取り付けられている基枠７７と、基枠７７の右側の側端部（換言すれば、ほぼ水平方向における一方の側端部）に配設されているラッチ機構５７と、基枠７７の左側の側端部（換言すれば、ほぼ水平方向における他方の側端部）を部分的に被覆しているほぼコ字状のカバー部材８１とを備えている。そして、左側の手入れ扉５４の左側の端部は、回動支軸７６によって、基枠７７に関節手にかつ回動可能に軸支されている。また、回動支軸７６は、基枠７７の左側の端部に突設されている軸受け部によって、その両端部をそれぞれ支持されている。さらに、左側の手入れ扉５４の左右両側の端部のうちの一方の端部である左側の端部８３は、その外観がほぼ丸太形状になるように太めに構成されている。そして、左側の端部８３には、被軸支部を構成するための貫通孔８４が形成されている。また、この貫通孔８４には、回動支軸７６が挿通されている。
【００２６】
図４、図５Ａ、図８などに示す基枠７７のほぼリング状でほぼ凸状の外周部８２の内側面は、保育器１１の児収容空間２５の側から外部空間の側に向かって尻すぼまりになるように、多少とも傾斜している。なお、上記傾斜角度θ１は、図示の実施例においては、図６に示すように約５°である。そして、上記傾斜角度θ１は、実用性の観点から見て一般的に、２°〜８°の範囲であるのが好ましく、３°〜７°の範囲であるのがさらに好ましく、４°〜６°の範囲であるのが最も好ましい。上述のように構成すれば、外周部８２のうちの下方付近の内側面に水滴などの液滴が付着したときでも、このような液滴は、主として、児収容空間２５の側に向かって流れ込むので、上記外部空間の側に向かって流れ出す恐れが少ない。なお、図４などに示す手入れ扉５４および基枠７７のそれぞれは、そのほぼ全体をほぼ透明またはほぼ半透明のＡＢＳ樹脂、ポリカーボネート樹脂、アクリル樹脂などの合成樹脂、その他のほぼ透明またはほぼ半透明の材料から構成されることができる。特に、基枠７７は、上記液滴などによる汚れが落ちやすくて清拭が容易でありかつ熱可塑性樹脂の一種であるＡＢＳ樹脂を用いるのが好ましい。
【００２７】
基枠７７は、図４、図８などに示すように、前側の周壁部２３の外側面に沿って外周部８２から左側（換言すれば、外側）に向かってほぼ一体的に延在している左側の支持板部８５を備えている。そして、左側の支持板部８５には、前側の周壁部２３の外側面からさらに外側に向かってほぼ一体的に延在している断面がほぼＵ字形状の制動部８６と、前側の周壁部２３の外側面からさらに外側に向かってほぼ一体的に延在している支持部９１とをそれぞれ備えている。なお、回動支軸７６は、カバー部材８１の内部に配置されるように左側の支持板部８５にそれぞれ配設されている上下一対の取付け部（図示せず）によって、左側の支持板部８５に取付け支持されている。そして、カバー部材８１は、取付け部９２、係合爪部９３などによって、左側の支持板部８５に取り付け固定されている。また、左側の支持板部８５には、係合爪部９３が挿入（換言すれば、係合）するための挿入用スリット９４が配設されている。そして、支持部９１には、取付け部９２が当接するように構成されている。また、左側の支持板部８５には、制動部８６の先端部が出入り可能なように、開口９５が形成されている。
【００２８】
左側の手入れ扉５４が図４に示すように閉鎖状態になっているときの手入れ扉５４の内側面には、図３、図４などに示すように、外周部８２のほぼリング状の外側端とほぼ同形であってよいほぼリング状の挿入用（換言すれば、係合用）の溝部９６が形成されている。そして、手入れ扉５４が図４に示すように閉鎖状態になっているときには、基枠７７の外周部８２の先端部９７が係合用溝部９６にほぼリング状に係合することができるように構成されている。このために、前側の周壁部２３と手入れ扉機構７４との間の気密性をほぼ確実に保持することができる。なお、外周部８２（換言すれば、凸状の外周部８２の先端部９７）は、図３に示すほぼ直立した状態においてほぼ正面から平面的に見て、右側から左側に向かってほぼ尻すぼまりになっているほぼ卵形状であってよい。
【００２９】
外周部８２のほぼリング状の先端部９７は、図５Ａおよび図５Ｂに示すように、その厚みＴ１が約３．８ｍｍである。そして、先端部９７の先端面のほぼ平坦な中央部の幅Ｗ１は、約０．８ｍｍである。また、先端部９７の先端面の左右両側のそれぞれは、約１．５ｍｍの半径Ｒ１をそれぞれ有する円弧面にそれぞれなっている。さらに、左側の手入れ扉５４の係合用溝部９６の幅Ｗ２は、約６．３ｍｍである。そして、係合用溝部９６の溝の深さＤ１は、約１．５ｍｍである。また、係合用溝部９６の溝の長さ方向とは直交する幅方向の断面形状は円弧状であって、係合用溝部９６の長さ方向とは直交する幅方向は、約４ｍｍの半径Ｒ２を有する円弧状の傾斜面になっている。さらに、係合用溝部９６の幅Ｗ２に対するほぼリング状の先端部９７の厚みＴ１の比（Ｔ１／Ｗ２）は、０．６である。
【００３０】
図５Ａおよび図５Ｂに示すほぼリング状の先端部９７の厚みＴ１は、実用性の観点から見て一般的に、１．５〜６．１ｍｍの範囲であるのが好ましく、２．３〜５．３ｍｍの範囲であるのがさらに好ましく、３〜４．６ｍｍの範囲であるのが最も好ましい。そして、先端部９７の先端面のほぼ平坦な中央部の幅Ｗ１は、実用性の観点から見て一般的に、０．３２〜１．２８ｍｍの範囲であるのが好ましく、０．４８〜１．１２ｍｍの範囲であるのがさらに好ましく、０．６４〜０．９６ｍｍの範囲であるのが最も好ましい。また、先端部９７の先端面の左右両側のそれぞれの円弧面の半径Ｒ１のそれぞれと、係合用溝部９６の溝の深さＤ１のそれぞれとは、実用性の観点から見て一般的に、０．６〜２．４ｍｍの範囲であるのが好ましく、０．９〜２．１ｍｍの範囲であるのがさらに好ましく、１．２〜１．８ｍｍの範囲であるのが最も好ましい。さらに、左側の手入れ扉５４の係合用溝部９６の幅Ｗ２は、実用性の観点から見て一般的に、２．５〜１０ｍｍの範囲であるのが好ましく、３．８〜８．８ｍｍの範囲であるのがさらに好ましく、５〜７．６ｍｍの範囲であるのが最も好ましい。そして、挿入用溝部９６の長さ方向とは直交する幅方向における円弧状の傾斜面の半径Ｒ２は、実用性の観点から見て一般的に、１．６〜６．４ｍｍの範囲であるのが好ましく、２．４〜５．６ｍｍの範囲であるのがさらに好ましく、３．２〜４．８ｍｍの範囲であるのが最も好ましい。また、挿入用溝部９６の幅Ｗ２に対するほぼリング状の先端部９７の厚みＴ１の比（Ｔ１／Ｗ２）は、実用性の観点から見て一般的に、０．２４〜０．９６の範囲であるのが好ましく、０．３６〜０．８４の範囲であるのがさらに好ましく、０．４８〜０．７２の範囲であるのが最も好ましい。
【００３１】
左側の手入れ扉機構７４の基枠７７の上側の端部の付近、下側の端部の付近および右側の端部の付近のそれぞれには、図４、図５Ａなどに示すように、前側の周壁部２３がそれぞれ係合するための第1の係合爪部１０１が、それぞれ突設されている。そして、基枠７７の左側の端部の付近にも、前側の周壁部２３が係合するための第２の係合爪部１０２が、突設されている。また、基枠７７の左側の端部の付近に配設されている第２の係合爪部１０２は、手入れ窓機構７４を前側の周壁部２３から比較的容易に取り外すことができるように、比較的肉薄に構成されていて比較的弾性変形し易くなっている。具体的には、基枠７７の左側の端部に配設されている第２の係合爪部１０２を基枠７７のほぼ中心の側に向かって弾性変形させてから、第２の係合爪部１０２を前側の周壁部２３よりもほぼ前方に引っ張り出した後に、図１に示す手入れ扉機構７４を図１における向かってほぼ右側に引っ張り出せば、この手入れ扉機構７４を前側の周壁部２３から抜き出すことができる。この場合、外周部８２が上述のようにほぼ卵形状であるから、図１に示す手入れ扉機構７４を上述のように図１における向かってほぼ右側に引っ張り出す操作を、比較的簡単かつ確実に行うことができる。
【００３２】
基枠７７は、図４、図５Ａ、図７などに示すように、基枠７７の外周部８２から前側の周壁部２３の外側面に沿って右側（換言すれば、右側の手入れ扉５５の側）に向かってほぼ一体的に延在している右側の支持板部１０４を備えている。そして、右側の支持板部１０４には、前側の周壁部２３の外側面からさらに外側に向かって延在しているほぼコ字状の突出壁部１０５がほぼ一体的に形成されている。また、右側の支持板部１０４のほぼ前側面には、シリコーンゴムなどのクッション材料から成る弾性板１０６が取付け固定されている。さらに、右側の支持板部１０４のほぼ前側面には、弾性板１０６に隣接するように、支持部材１０７も取付け固定されている。そして、支持部材１０７には、ラッチレバー１１１および操作レバー１１２が支持軸１１３によってそれぞれ回動自在に取付けられている。また、支持軸１１３には、支持軸１１３を支点としてラッチレバー１１１を図５Ａにおける反時計方向に回動付勢しているねじりコイルばね１１４が、取り付けられている。さらに、支持部材１０７と操作レバー１１２との間には、圧縮用コイルばね１１５が介装されている。このために、操作レバー１１２は、圧縮用コイルばね１１５によって、支持軸１１３を支点として図５Ａにおける反時計方向に回動付勢されている。
【００３３】
ラッチレバー１１１には、図５Ａおよび図７に示すように、左側の手入れ扉５４の先端部１２１が係合するための係合用凹部１２２が形成されている。また、ラッチレバー１１１には、このラッチレバー１１１の前側の先端部に位置するように、弾性ブロック１１７が配設されている。さらに、ラッチレバー１１１のうちの右側の支持板部１０４の側の端部には、弾性板１０６に当接することができるストッパ部１２３が形成されている。そして、ラッチレバー１１１の前端部には、左側の手入れ扉５４が閉鎖されるときにこの手入れ扉５４の先端部１２１が当接する弾性ブロック１１７が、配設されている。このために、ラッチレバー１１１が支持軸１１３を支点として図５Ａにおける時計方向に回動するので、先端部１２１は、弾性ブロック１１７に当接する。したがって、ラッチレバー１１１が支持軸１１３を支点として図５Ａにおける時計方向に回動するので、手入れ扉５４の先端部１２１は、係合用凹部１２２に係合することができる。
【００３４】
操作レバー１１２は、図５Ａ、図６および図７に示すように、支持軸１１３を回動支点として回動可能に構成されるとともに、圧縮用コイルばね１１５によって支持軸１１３を支点とする反時計方向に付勢されている。このために、図５Ａに示す状態において、支持軸１１３を回動中心とする時計方向に操作レバー１１２を往回動させたときには、操作レバー１１２がラッチレバー１１１の上下一対の被押圧部１２４を押圧する。したがって、ラッチレバー１１１は、支持軸１１３を回動支点として、図５Ａに示す状態から図６に示す状態まで往回動する。このときには、ラッチレバー１１１の弾性ブロック１１６が左側の手入れ扉５４の先端部１２１の内側面を押圧するので、左側の手入れ扉５４は、回動支軸７６を回動支点として多少とも往回動するとともに、回動支軸７６に取り付けられているコイルばね１２５（図３参照）の付勢力によって、図８に示すほぼ全開した状態になるまで往回動する。
【００３５】
支持軸１１３の両端部の付近のそれぞれには、図７に示すように、ほぼリング状の係合用溝１２６がそれぞれ形成されている。そして、支持軸１１３の両端部は、支持部材１０７の両壁部１３１、１３２にそれぞれ形成されている貫通孔１３３、１３４にそれぞれ嵌合されている。また、支持軸１１３の両端部のそれぞれの付近には、一対のＯリング１３５のそれぞれが嵌合されるとともに、これら一対のＯリング１３５のそれぞれに隣接するように、一対のＣリング１３６のそれぞれが嵌合されている。この場合、一対のＣリング１３６のそれぞれは、一対の係合用溝１２６のそれぞれに係合するとともに、一対のＯリング１３５のそれぞれは、一対の壁部１３１、１３２と一対の係合用溝１２６との間にそれぞれ配設されている。なお、一対のＯリング１３５のそれぞれは、支持部材１０７に対する支持軸１１３のガタ付きを防止する機能を有している。そして、一対のＣリング１３６のそれぞれは、支持部材１０７に対する支持軸１１３の抜け止めの機能を有している。
【００３６】
以上、本発明の一実施例について詳細に説明した。しかし、本発明は、この実施例に限定されるものではなく、特許請求の範囲に記載されている発明の趣旨に基づいて各種の変更および修正が可能である。
【００３７】
例えば、上述の実施例においては、本発明を閉鎖型保育器に適用している。しかし、本発明は、閉鎖型保育器だけでなく、開放型兼用の閉鎖型保育器などの別のタイプの保育器にも適用することができる。
【００３８】
また、上述の実施例においては、挿入用（換言すれば、係合用）の溝部９６が上記手入れ扉５４の内側面にほぼ完全なリング状に形成されるとともに、外周部８２の先端部９７も挿入用溝部９６にほぼ完全なリング状に係合するように構成されている。しかし、場合によっては、挿入用溝部９６は、ほぼ完全なリング状ではなくて、多少とも途切れている部分を有していてもよく、上記先端部９７も、上記途切れ部分に対応するなどしていて、多少とも欠如部分を有していてもよい。
【符号の説明】
【００３９】
１１        閉鎖型保育器（保育器）
２１        頭側の周壁部（第１の周壁部、第１の固定側の周壁部）
２２        脚側の周壁部（第２の周壁部、第２の固定側の周壁部）
２３        前側の周壁部（第３の周壁部、第３の固定側の周壁部）
２４        後側の周壁部（第４の周壁部、第４の固定側の周壁部）
２５        児収容空間
５２        左側の手入れ窓
５３        右側の手入れ窓
５４        左側の手入れ扉
５５        右側の手入れ扉
５７        ラッチ機構
７７        基枠
８２        ほぼリング状の外周部
９６        挿入用溝部
９７        ほぼリング状の先端部
Ｔ１        厚み
Ｗ１        幅
Ｗ２        幅
Ｒ１        半径
Ｔ１／Ｗ２  幅に対する厚みの比
θ１        傾斜角度
【図１】
0006268204.tif 000002
【図２】
0006268204.tif 000003
【図３】
0006268204.tif 000004
【図４】
0006268204.tif 000005
【図５Ａ】
0006268204.tif 000006
【図５Ｂ】
0006268204.tif 000007
【図６】
0006268204.tif 000008
【図７】
0006268204.tif 000009
【図８】
0006268204.tif 000010